(57)【要約】      （修正有）【課題】ハンズフリーインターホン装置に係わり、玄関周辺または室内の雑音が大きな場合でも、スムーズに双方向通話を行うことができるハンズフリーインターホン装置を提供する。【解決手段】玄関子機と、ハンズフリーインターホン親機で構成されるハンズフリーインターホン装置において、ハンズフリーインターホン親機には、ハンズフリーインターホン親機と玄関子機の双方向通話路を形成する通話路切替部とで構成され、通話路切替部には、室内の送話信号を高速フーリエ変換し、第三次高調波まで観測できる信号を送話音声強度として算出する送話音声強度算出部と、玄関周辺の受話信号を高速フーリエ変換し、第三次高調波まで観測できる信号を受話音声強度として算出する受話音声強度検出部と、送話音声強度と受話音声強度とを比較する比較部と、玄関子機への送話信号と玄関子機からの受話信号の切り替えを行う切替部を備えた。【選択図】図１
2011097380.tif 000002
【特許請求の範囲】
【請求項１】
門扉、または玄関に設置された玄関子機（１）と、前記玄関子機からの呼出音に対して応答／通話を行うハンズフリーインターホン親機（２）で構成されるハンズフリーインターホン装置において、
前記ハンズフリーインターホン親機には、前記ハンズフリーインターホン親機と前記玄関子機の双方向通話路を形成する通話路切替部（２０３）とで構成され、
前記通話路切替部には、室内の送話信号を高速フーリエ変換し、第三次高調波まで観測できる信号を送話音声強度として算出する送話音声強度算出部（２０３１）と、玄関周辺の受話信号を高速フーリエ変換し、第三次高調波まで観測できる信号を受話音声強度として算出する受話音声強度検出部（２０３２）と、前記送話音声強度と前記受話音声強度とを比較する比較部（２０３３）と、前記玄関子機への前記送話信号と前記玄関子機からの前記受話信号の切り替えを行う切替部（２０３４ａ、２０３４ｂ）を備えたことを特徴とするハンズフリーインターホン装置。
【発明の詳細な説明】
【技術分野】
【０００１】
本発明は、ハンズフリーインターホン装置に係わり、玄関周辺または室内の雑音が大きな場合でも、双方向通話を行うことができるハンズフリーインターホン装置に関する。
【背景技術】
【０００２】
従来から、玄関に設置される玄関子機と室内に設置される居室親機間で、ハンズフリー通話が可能なインターホン装置が知られている。特許文献１に記載されるような従来のインターホン装置は、玄関子機からの受話音声と居室親機からの送話音声を比較して、通話路の自動交互切り替えを行うインターホン装置が記載されている。
【先行技術文献】
【特許文献】
【０００３】
【特許文献１】特開２００２−０６４６４４
【発明の開示】
【発明が解決しようとする課題】
【０００４】
しかしながら、玄関周辺の雑音が大きな場合には、玄関子機からの受話状態が維持されてしまい、居室親機から玄関子機への送話音声が出力されなくなってしまっていた。また、室内の周囲音が大きな場合には、送話状態が維持され、受話音声が出力されなかった。
【０００５】
本発明はこの難点を解決するためになされたもので、玄関周辺または室内の雑音が大きな場合でも、円滑に自動交互通話を行うことができるハンズフリーインターホン装置を提供することを目的としている。
【課題を解決するための手段】
【０００６】
上記課題を解決するために、請求項１に記載の発明は、門扉、または玄関に設置された玄関子機と、玄関子機からの呼出音に対して応答／通話を行うハンズフリーインターホン親機で構成されるハンズフリーインターホン装置において、ハンズフリーインターホン親機には、ハンズフリーインターホン親機と玄関子機の双方向通話路を形成する通話路切替部とで構成され、通話路切替部には、室内の送話信号を高速フーリエ変換し、第三次高調波まで観測できる信号を送話音声強度として算出する送話音声強度算出部と、玄関周辺の受話信号を高速フーリエ変換し、第三次高調波まで観測できる信号を受話音声強度として算出する受話音声強度検出部と、送話音声強度と受話音声強度とを比較する比較部と、玄関子機への送話信号と玄関子機からの受話信号の切り替えを行う切替部を備えたことを特徴とする。
【発明の効果】
【０００７】
請求項１の発明によれば、室内の雑音、玄関周辺の雑音が大きな場合でも、玄関子機との交互通話を円滑に行うことができる。
【図面の簡単な説明】
【０００８】
【図１】本発明に係るハンズフリーインターホン装置のブロック図である。
【図２】本発明に係る通話路切替部の詳細ブロック図である。
【図３】本発明に係る送話音声強度算出部及び受話音声強度算出部の詳細動作説明グラフである。
【発明を実施するための形態】
【０００９】
以下、本発明によるハンズフリーインターホン装置を適用した好ましい形態の実施例について、図面を参照して説明する。図１は本発明のハンズフリーインターホン装置のブロック図である。図１において、本発明のハンズフリーインターホン装置は、玄関子機１、ハンズフリーインターホン親機２から構成されており、伝送線Ｌ１により接続されている。
玄関子機１はハンズフリーインターホン親機２を呼び出すための呼出釦１０１と、ハンズフリーインターホン親機２と通話するための子機スピーカ１０２２、子機マイク１０２３、子機送話受話部１０２１で構成される子機音響部１０２と、子機Ｉ／Ｆ１０３とから構成されている。ハンズフリーインターホン親機２は、玄関子機１からの呼び出しに応答するための通話釦２０１と、玄関子機１と通話するための親機スピーカ２０２２、親機マイク２０２３、親機送話受話部２０２１で構成される親機音響部２０２と、子機音響部１０２からの受話と親機音響部２０２からの送話を切り替える通話路切替部２０３と、ハンズフリーインターホン親機２を制御するＣＰＵ２０４と、親機Ｉ／Ｆ２０５で構成されている。
【００１０】
図２は本発明のハンズフリーインターホン親機２の通話路切替部２０３の詳細ブロック図である。図２において、通話路切替部２０３には、親機音響部２０２から入力された送話信号の送話音声強度を算出する送話音声強度算出部２０３１と、子機音響部１０２から入力された受話信号の受話音声強度を算出する受話音声強度算出部２０３２と、送話音声強度算出部２０３１で求められた送話音声強度と受話音声強度算出部２０３２で求められた受話音声強度を比較する比較部２０３３と、比較部２０３３で送話音声強度と受話音声強度の比較を行い、音声強度の大きな通話路を接続させるように切り替える切替部２０３４ａ、２０３４ｂで構成されている。
【００１１】
このようなハンズフリーインターホン装置において、動作説明を行う。まずは、通常の玄関子機１からの呼び出し操作を行った時の動作を説明する。
来訪者が玄関子機１の呼出釦１０１を押下すると、子機Ｉ／Ｆ１０３、伝送線Ｌ１、親機Ｉ／Ｆ２０５を経由してＣＰＵ２０４に呼出信号が送信される。呼出信号を受信したＣＰＵ２０４は、親機送受話部２０２１を経由して親機スピーカ２０２２から呼出音を放音させる。呼出音を聞いた居住者が通話釦２０１を押下すると、ＣＰＵ２０４が通話路切替部２０３の切替制御を行い、玄関子機１とハンズフリーインターホン親機２間で通話を円滑に行うことができる。
【００１２】
次に、送話信号、受話信号を切り替えて交互通話を行うための動作説明を行う。図３は送話音声強度算出部２０３２と受話音声強度算出部２０３３に入力された音声信号から送話受話の音強度を算出する算出するためのグラフである。横軸は周波数、縦軸は送話受話の音強度を示している。
【００１３】
ハンズフリーインターホン親機２と玄関子機１とが交互通話状態となったとき、親機マイク２０２３、親機送受話部２０２１を介して入力された送話信号は、通話路切替部２０３の送話音強度算出部２０３１に入力される。送話音強度算出部２０３１では、送話信号の高速フーリエ変換処理を行い、周波数スペクトルを求める。例えば、送話信号が図３のような周波数スペクトルとなったとする。このとき、２００Ｈｚから１５００Ｈｚの周波数帯であり、且つＳ／Ｎ比が１０ｄＢ以上であるスペクトルを基本周波数としてピックアップする。図３の場合は、スペクトルａ〜ｊの内、ｂ、ｃ、ｄ、ｅ、ｇ、ｈがピックアップされる。その後、それぞれのスペクトルを基本周波数とし、Ｓ／Ｎ比が１０ｄＢ以上である第２、第３高調波の有無を判断する。ここでスペクトルｃを基本周波数とした時、スペクトルｅ、スペクトルｈを第２高調波、第３高調波と判断し、スペクトルｃ、ｅ、ｈを第１の送話音声信号と判断する。さらに、スペクトルｄを基本周波数とした時、スペクトルｇ、スペクトルｊを第２高調波、第３高調波と判断し、スペクトルｄ、ｇ、ｊを第２の送話音声信号と判断する。その他のｂ、ｅ、ｇ、ｈを基本周波数としたときの第２、第３高調波を判断することができないため、他の送話音声信号はないものと判断する。
その後、音声信号と判断された第１の送話音声信号と第２の送話音声信号の強度を求める。つまり、スペクトルｃ、ｅ、ｈとスペクトルｄ、ｇ、ｊを掛け合わせて送話音声強度を求める。このとき、子機マイク１０２３、子機送受話部１０２１、子機Ｉ／Ｆ１０３、伝送路Ｌ１、親機Ｉ／Ｆ２０５を経由して入力された受話信号も通話路切替部２０３の受話音強度算出部２０３２にて、送話音強度算出部２０３１と同様の処理が成され受話音声強度を求める。
送話音強度算出部２０３１で求められた送話音声強度と受話音強度算出部２０３２で求められた受話音声強度を比較部２０３１で比較し送話音声レベルより受話音声レベルが大きな場合は、切替部２０３４ａを開成、２０３４ｂを閉成し、受話音声レベルより送話音声レベルが大きな場合は、切替部２０３４ｂを閉成、２０３４ａを開成する。この動作によって、周囲雑音の影響を受けずに人物の音声強度のみで送話受話の切り替えを行うことができる。
【符号の説明】
【００１４】
１・・・                                   玄関子機
２・・・                                   ハンズフリーインターホン親機
２０２・・・                          親機音響部
２０３・・・                          通話路切替部
２０３１・・・                      送話音声強度算出部
２０３３・・・                      比較部
２０３４ａ、２０３４ｂ・・・            切替部
【図１】
2011097380.tif 000003
【図２】
2011097380.tif 000004
【図３】
2011097380.tif 000005